(57)【要約】【課題】照射範囲が広くなっても、明るく且つ均一な照度で光を照射できるようにする。【解決手段】  複数の光源（２Ａ〜２Ｇ）から照射された光を案内する夫々のファイババンドル（３Ａ〜３Ｇ）の光出射端（３out）がライン状に形成された光出射部（４）に配列されて成り、前記光出射部（４）が所要数の出射エリア（Ａ１〜Ａ５）に分割されると共に、夫々のファイババンドル（３Ａ〜３Ｇ）の出射端側で、前記ファイババンドル（３Ａ〜３Ｇ）を構成する光ファイバ（６Ａ〜６Ｇ）を前記出射エリア（Ａ１〜Ａ５）の数に応じて所要本ずつ各出射エリア（Ａ１〜Ａ５）に分配した。【選択図】図１
2006350239.tif 000002
【特許請求の範囲】
【請求項１】
各光源から照射された光を案内する夫々のファイババンドルの光出射端がライン状の光出射部に配列されたラインライトガイドであって、
前記光出射部が所要数の出射エリアに分割されると共に、夫々のファイババンドルの出射端側で、前記ファイババンドルを構成する光ファイバが前記出射エリアの数に応じて所要本ずつ各出射エリアに分配されたことを特徴とするラインライトガイド。
【請求項２】
前記光出射部が、直線、曲線あるいは輪郭線からなるライン状に形成された請求項１記載のラインライトガイド。
【請求項３】
各光源から照射された光を案内する夫々のファイババンドルの光出射端がライン状の光出射部に配列されたラインライトガイドの製造方法であって、
前記光出射部を予め所要数の出射エリアに分割しておき、夫々のファイババンドルの出射端側で、前記ファイババンドルを構成する光ファイバを前記出射エリアの数に応じて所要本ずつ各出射エリアに分配し、光出射部に固定することを特徴とするラインライトガイドの製造方法。
【発明の詳細な説明】
【技術分野】
【０００１】
本発明は、各光源から照射された光を案内する夫々のファイババンドルの光出射端がライン状の光出射部に配列されたラインライトガイド及びその製造方法に関する。
【背景技術】
【０００２】
ラインライトガイドは、光をライン状に照射させるもので、各種製品の製造ラインにおける検査工程の検査用光源として使用されている。
【０００３】
小型製品の検査に使用されるラインライトガイドは、光出射端をライン状に配列した一本のファイババンドルで形成され、光入射端から入射された光をライン状に照射するようになっている。
【特許文献１】特開２００２−２８８６４４
【０００４】
一方、検査部位の幅がある程度広くなると、一つの光源から照射された光だけでは全体が暗くなるため、図３及び図４に示すように、ラインライトガイド２０を複数連結して使用している。
すなわち、各光ファイバ２１の光出射端２１outをライン状に配列したファイババンドル２２を所要本数用いて、その光出射端２１outをライン状に連結して光出射部２３を形成し、夫々のファイババンドル２２…の光入射端２４…に光源２５…を配して、光出射部２３からライン状の光を照射するようになっている。
【０００５】
このようにすれば、全体を明るく照らすことができるが、その一方で、夫々の光源に用いるランプ等に照度のバラツキがあると、夫々のラインライトガイド２０から照射される光に明暗が生じ、検査精度を低下させるという問題を生じた。
【発明の開示】
【発明が解決しようとする課題】
【０００６】
そこで本発明は、検査部位の幅が広くなっても、全体が明るく且つ均一な照度で光を照射できるようにすることを技術的課題としている。
【課題を解決するための手段】
【０００７】
この課題を解決するために、本発明に係るラインライトガイドは、各光源から照射された光を案内する夫々のファイババンドルの光出射端がライン状の光出射部に配列されて成り、前記光出射部が所要数の出射エリアに分割されると共に、夫々のファイババンドルの出射端側で、前記ファイババンドルを構成する光ファイバが前記出射エリアの数に応じて所要本ずつ各出射エリアに分配されたことを特徴としている。
【０００８】
また、本発明に係るラインライトガイドの製造方法は、光出射部を予め所要数の出射エリアに分割しておき、夫々のファイババンドルの出射端側で、前記ファイババンドルを構成する光ファイバを前記出射エリアの数に応じて所要本ずつ各出射エリアに分配し、光出射部に固定することを特徴としている。
【発明の効果】
【０００９】
本発明のラインライトガイドによれば、ライン状に形成された光出射部が所要数の出射エリアに分割されており、複数の光源から照射された光を案内するバンドルファイバから分岐された分岐ファイバが、夫々の出射エリアに分配されているので、個々の出射エリアに全ての光源からの光が供給されて夫々の出射エリアから照射されるので、光源に明暗の差があっても、明るい部分、暗い部分が分散されるので、光出射部全体から明るさの均一な光を照射することができる。
【発明を実施するための最良の形態】
【００１０】
本例では、検査部位の幅が広くなっても、全体が明るく且つ均一な照度で光を照射できるようにするという課題を達成するため、ライン状に形成された光出射部を所要数の出射エリアに分割し、夫々のファイババンドルを構成する光ファイバを各出射エリアに分配することにより実現した。
【００１１】
図１は本発明に係るラインライトガイドの一例を示す説明図、図２はその正面図である。
【００１２】
図１及び図２に示すラインライトガイド１は、各光源２Ａ〜２Ｇから照射された光を案内する夫々のファイババンドル３Ａ〜３Ｇの光出射端３outが、ライン状の光出射部４に配列されて形成されている。
光源２Ａ〜２Ｇとしては任意の発光源を使用することができるが、本例では、ハロゲンランプがファイババンドル３Ａ〜３Ｇの各光入射端３inに対向して配されている。
【００１３】
光出射部４は、樹脂製のライトガイド用アレイ５Ｕ及び５Ｌの合せ面に直線ライン状に形成され、所要数（例えば五つ）の出射エリアＡ１〜Ａ５に分割されている。
そして、夫々のファイババンドル３Ａ〜３Ｇを構成する光ファイバ６Ａ〜６Ｇが出射エリアＡ１〜Ａ５の数に応じて所要本ずつに束ねられて分岐され、各出射エリアＡ１〜Ａ５に分配されている。
【００１４】
このとき、分配された光ファイバ６Ａ〜６Ｇの本数にかかわらず、その光ファイバ群を夫々の照射エリアＡ１〜Ａ５の一端側から他端側に向って順に配列させてもランダムに配列させてもよく、さらに、分配された光ファイバ６Ａ〜６Ｇが複数本ずつある場合に、夫々の光ファイバ６Ａ〜６Ｇを一本ずつバラしてランダムに配列させても良い。
【００１５】
以上が本発明の一例構成であって、次にその作用を説明する。
まず、ラインライトガイド１を製造する場合、ライトガイド用アレイ５Ｕ及び５Ｌに形成された光出射部４を予め同じ長さずつ、例えば五つの出射エリアＡ１〜Ａ５に等分割しておく。
【００１６】
そして、複数の光源２Ａ〜２Ｇから照射された光を案内する夫々のファイババンドル３Ａ〜３Ｇの光出射端３out側で、ファイババンドル３Ａ〜３Ｇを構成する光ファイバ６Ａ〜６Ｇを出射エリアの数に応じて所要本ずつ束ねて分岐させる。
例えば、各ファイババンドル３Ａ〜３Ｇが夫々１００本の光ファイバ６Ａ〜６Ｇからなる場合に、出射エリアＡ１〜Ａ５が五つであるから、光ファイバ６Ａ〜６Ｇは２０本ずつ束ねられて分岐させる。
【００１７】
そして、２０本ずつの各光ファイバ６Ａ〜６Ｇを各出射エリアＡ１〜Ａ５の一端側から他端側に向って順番に配列させ、全ての光ファイバ６Ａ〜６Ｇの分配作業が完了した後、ライトガイド用アレイ５Ｕ及び５Ｌと各光ファイバ６Ａ〜６Ｇを樹脂で固め、光出射部４（光出射端３out）を研磨し、最後にケーシング７を装着して完成する。
【００１８】
このように製造されたラインライトガイド１の各光入射端３inに、ハロゲンランプなどの光源２Ａ〜２Ｇを対向させて配して、これを点灯させると、夫々の光はファイババンドル３Ａ〜３Ｇを構成する各光ファイバ６Ａ〜６Ｇを伝搬する。
光ファイバ６Ａ〜６Ｇはファイババンドル３Ａ〜３Ｇの光出射端３out側で、各出射エリアＡ１〜Ａ５に分配されているので、個々の出射エリアＡ１〜Ａ５には、全てのファイババンドル３Ａ〜３Ｇの光ファイバ６Ａ〜６Ｇが混在することとなる。
したがって、光源２Ａ〜２Ｇに明暗の差があっても、明るい部分、暗い部分が全体的に分散されることとなり、光出射部４全体から均一な明るさで光が照射される。
【産業上の利用可能性】
【００１９】
以上述べたように、本発明は、製品検査などにおいて、検査部位の幅が比較的広い部分に、均一な明るさでライン状のスポット光を照射する用途に適用することができる。
【図面の簡単な説明】
【００２０】
【図１】本発明に係るラインライトガイドの一例を示す説明図。
【図２】その正面図。
【図３】従来装置を示す説明図。
【図４】その正面図。
【符号の説明】
【００２１】
１  ラインライトガイド  
２Ａ〜２Ｇ  光源
３Ａ〜３Ｇ  ファイババンドル
３out  光出射端
３in  光入射端
４  光出射部
６Ａ〜６Ｇ  光ファイバ
Ａ１〜Ａ５  出射エリア
【図１】
2006350239.tif 000003
【図２】
2006350239.tif 000004
【図３】
2006350239.tif 000005
【図４】
2006350239.tif 000006